(57)【要約】【課題】  印刷手段の動作状態を設定するための動作情報を利用可能か否かを適切に判定して用紙情報を登録することができる印刷装置を提供する。【解決手段】  印刷装置１０５のＣＰＵ２０５は、印刷装置２３４又は印刷装置２３５から受信した用紙情報に含まれる動作情報を利用するか否かを判定し、動作情報を利用すると判定した場合に、受信した用紙情報をＴｙｐｅ２の用紙情報として登録する。また、印刷装置１０５のＣＰＵ２０５は、Ｔｙｐｅ２の用紙情報として登録されている用紙情報の中からいずれかの用紙情報を選択し、選択した用紙情報に含まれる動作情報に基づいた動作状態にて印刷処理を実行させるようプリンタ部２０３を制御する。【選択図】  図１７
2008096812.tif 000002
【特許請求の範囲】
【請求項１】
印刷データを入力する入力手段と、
前記入力手段により入力された印刷データに基づいて用紙に印刷処理を実行する印刷手段と、
他の装置から、用紙を印刷処理で利用する際の前記印刷手段の動作状態を設定するための動作情報を含む用紙情報を受信する受信手段と、
前記動作情報を利用するか否かを判定する動作情報判定手段と、
前記動作情報判定手段が前記動作情報を利用すると判定した場合に、前記動作情報を含む用紙情報を登録する登録手段と、
前記登録手段に登録された複数の前記用紙情報から、いずれかの用紙情報を選択する選択手段と、
前記選択手段が選択した用紙情報に含まれる前記動作情報に基づいた動作状態にて前記印刷処理を実行させるよう前記印刷手段を制御する制御手段と、
を有することを特徴とする印刷装置。
【請求項２】
前記受信手段は、前記印刷処理で利用する用紙の特性を示す特性情報と前記動作情報とを含む用紙情報を受信し、
前記受信手段が受信した用紙情報に含まれる特性情報が、前記印刷装置にて利用可能な特性を示すか否かを判定する特性判定手段とを有し、
前記登録手段は、前記動作情報を利用しないと前記動作情報判定手段が判定した場合であって前記特性情報が前記印刷装置にて利用可能な特性を示すと前記特性判定手段が判定した場合に、前記用紙情報から前記動作情報を除いた情報を登録することを特徴とする請求項１に記載の印刷装置。
【請求項３】
前記動作情報判定手段が前記動作情報を利用しないと判定した場合に、前記特性情報に基づいて前記用紙情報に付加する新たな動作情報を生成する生成手段を有し、
前記登録手段は、前記動作情報判定手段が前記動作情報を利用しないと判定した場合に、前記用紙情報に前記新たな動作情報を付加して登録することを特徴とする請求項２に記載の印刷装置。
【請求項４】
前記動作情報判定手段は、前記動作情報を利用するか否かを、前記他の装置が前記印刷装置と同種の装置であるか否かにより判定することを特徴とする請求項１乃至３のいずれかに記載の印刷装置。
【請求項５】
前記受信手段は、前記他の装置から、前記他の印刷装置が前記印刷装置と同種の装置であるか否かを示す装置判定情報を受信し、
前記動作情報判定手段は、前記動作情報を利用するか否かを、前記装置判定情報に基づいて判定することを特徴とする請求項４に記載の印刷装置。
【請求項６】
前記用紙情報には、前記装置判定情報が含まれており、
前記動作情報判定手段は、前記装置判定情報が前記他の装置と前記印刷装置が同種の装置を示す情報である場合は、前記動作情報を利用すると判定することを特徴とする請求項５に記載の印刷装置。
【請求項７】
前記受信手段が受信した用紙情報を記憶する記憶手段と、
前記記憶手段に記憶され、かつ前記登録手段に登録されていない用紙情報を前記選択手段が選択することを禁止する禁止手段を有することを特徴とする請求項１乃至６のいずれかに記載の印刷装置。
【請求項８】
他の印刷装置に用紙情報を送信する印刷装置であって、
印刷データを入力する入力手段と、
前記入力手段により入力された印刷データに基づいて用紙に印刷処理を実行する印刷手段と、
前記印刷処理で利用する用紙の特性を示す特性情報と該用紙を印刷処理で利用する際の前記印刷手段の動作状態を設定するための動作情報とを含む用紙情報を登録する登録手段と、
前記登録手段に登録された複数の前記用紙情報から、いずれかの用紙情報を選択する選択手段と、
前記選択手段が選択した用紙情報に含まれる前記動作情報に基づいた動作状態にて前記印刷処理を実行させるよう前記印刷手段を制御する制御手段と、
前記他の装置が前記印刷装置と同種の印刷装置であるか否かを判定する装置判定手段と、
前記装置判定手段が同種であると判定した場合は前記特性情報と前記動作情報とを含む用紙情報を前記他の印刷装置へ送信し、前記装置判定手段が同種でないと判定した場合は前記特性情報を含むが前記動作情報を含まない用紙情報を前記他の印刷装置へ送信する送信手段と、
を有することを特徴とする印刷装置。
【請求項９】
前記印刷手段は、前記印刷データに応じた現像材像を保持する保持手段と、該保持手段に保持された前記現像材像を用紙に転写する転写手段と、前記転写手段により前記現像材像が転写された用紙を加熱及び加圧する定着手段とを含み、
前記動作情報は、前記定着手段が用紙を加圧する加圧力を示す情報であることを特徴とする請求項１乃至８に記載の印刷装置。
【請求項１０】
前記印刷手段は、前記印刷データに応じた現像材像を保持する保持手段と、該保持手段に保持された前記現像材像を用紙に転写する転写手段と、前記転写手段により前記現像材像が転写された用紙を加熱及び加圧する定着手段とを含み、
前記動作情報は、前記定着手段が用紙を加熱する際の定着温度を示す情報であることを特徴とする請求項１乃至８に記載の印刷装置。
【請求項１１】
前記印刷手段は、前記印刷データに応じた現像材像を保持する保持手段と、該保持手段に保持された前記現像材像を用紙に転写する転写手段と、前記転写手段により前記現像材像が転写された用紙を加熱及び加圧する定着手段とを含み、
前記動作情報は、前記転写手段が前記現像材を用紙に転写するために前記用紙に印加する転写電圧を示す情報であることを特徴とする請求項１乃至８のいずれかに記載の印刷装置。
【請求項１２】
情報処理装置から印刷装置に用紙情報を送信し、前記印刷装置に印刷処理を実行させる印刷方法であって、
前記情報処理装置から前記印刷装置へ、印刷処理で利用する用紙の特性を示す特性情報と該用紙を印刷処理で利用する際の前記第２の印刷装置の動作状態を設定するための動作情報を含む前記用紙情報を送信する送信工程と、
前記動作情報を印刷装置において利用するか否かを判定する動作情報判定工程と、
前記動作情報判定工程が前記動作情報を利用すると判定した場合に、前記動作情報を含む用紙情報を前記印刷装置に登録する登録工程と、
前記登録工程にて登録された複数の前記用紙情報から、いずれかの用紙情報を選択する選択工程と、
前記選択工程にて選択した用紙情報に含まれる前記動作情報に基づいた動作状態にて前記印刷装置に印刷処理を実行させるよう制御する制御工程と、
を有することを特徴とする印刷方法。
【請求項１３】
第１の印刷装置から第２の印刷装置に用紙情報を送信し、前記第１の印刷装置に印刷処理を実行させる印刷方法であって、
前記第１の印刷装置による印刷処理で利用する用紙の特性を示す特性情報と該用紙を前記第１の印刷装置による印刷処理で利用する際の前記第１の印刷装置の動作状態を設定するための動作情報とを含む用紙情報を登録する登録工程と、
前記登録工程にて登録された複数の前記用紙情報から、いずれかの用紙情報を選択する選択工程と、
前記選択工程が選択した用紙情報に含まれる前記動作情報に基づいた動作状態にて前記第１の印刷装置に印刷処理を実行させるよう前記第１の印刷装置を制御する制御工程と、
前記第２の印刷装置が前記第１の印刷装置と同種の印刷装置であるか否かを判定する装置判定工程と、
前記装置判定工程が同種であると判定した場合は前記特性情報と前記動作情報とを含む用紙情報を前記第１の印刷装置から前記第２の印刷装置へ送信し、前記装置判定工程が同種でないと判定した場合は前記特性情報を含むが前記動作情報を含まない用紙情報を前記第１の印刷装置から前記第２の印刷装置へ送信する送信工程と、
を有することを特徴とする印刷方法。
【発明の詳細な説明】
【技術分野】
【０００１】
本発明は、印刷装置及び印刷方法に関する。
【背景技術】
【０００２】
従来から、シート（用紙）に印刷処理をする印刷装置が知られている。印刷処理に用いるシートの種類には様々なものがあり、例えば、シートのサイズ、シートの厚さ、単位面積あたりの重量（以下、坪量）、シートの材質（表面の滑らかさ）等により分類される。そして、印刷装置は、どのような種類のシートを用いて印刷処理する場合であっても、印刷物の見栄え（見た目）が同様になるのが望ましい。そこで、様々な種類のシートに印刷処理した場合であっても印刷物の見栄えが同様となるように、印刷処理をする際の印刷装置の動作状態をシートの種類に応じて異ならせる印刷装置が知られている。ここで、印刷装置の動作状態とは、例えば、電子写真方式の印刷装置においては、現像材像をシートに定着させる際の加圧力や定着温度、現像材像をシートに転写する際の転写電圧等の設定状態をいう。
【０００３】
なお、印刷装置の動作状態をシートの種類に応じて異ならせるための方法として、印刷装置にシートの種類に応じた印刷装置の動作状態を設定する情報（以下、動作情報）を予め記憶させておく方法が知られている。また、ホストコンピュータにて作成した動作情報を印刷装置に記憶させる方法が知られている（例えば、特許文献１参照。）。
【特許文献１】特開２００２−２９１２０号公報
【発明の開示】
【発明が解決しようとする課題】
【０００４】
近年は、複数の印刷装置を用いて印刷物を作成するシステムが普及しているが、複数の印刷装置の各々で印刷処理された印刷物の見栄えが異なるのは好ましくない。例えば、同じ文書データを用いて複数の印刷装置で各々印刷処理を行うような場合に問題が生じる可能性がある。具体的には、複数の印刷装置を利用して得た印刷物を、まとめて１つの依頼主に納入するような場合、見栄えの異なる印刷物を納入することとなる可能性がある。この問題を解決するための方法として、複数の印刷装置の各々で印刷処理された印刷物の見栄えを一致させるために、複数の印刷装置の各々を操作して印刷装置の動作状態を調整する方法が考えられる。しかしながら、ある１つの印刷装置で印刷処理された印刷物の見栄えを他の印刷装置と一致させたい場合、他の印刷装置の動作状態を設定するために煩雑な作業が必要となる。そこで、煩雑な作業を軽減する方法として、動作情報をある１つの印刷装置から他の印刷装置へ送信して、印刷装置間の動作状態を一致させる方法が考えられる。
【０００５】
しかし、１つの印刷装置から送信された動作情報をある１つの印刷装置から他の印刷装置へ送信するだけでは問題がある。具体的には、動作情報を含む用紙情報を受信した印刷装置によっては、用紙情報に含まれる動作情報を利用すると不具合が生じる可能性がある。例えば、用紙情報を送信する印刷装置と用紙情報を受信する印刷装置とが同種でない場合、受信した用紙情報を利用して印刷処理を実行すると不具合が生じる可能性がある。例えば、用紙情報に含まれる動作情報が示す定着温度が装置にて設定不可能な温度を示す場合に不具合が生じる可能性がある。
【０００６】
本発明は、上記のような問題点を鑑みてなされたものであり、他の装置から印刷手段の動作状態を設定するための動作情報を含む用紙情報を受信した場合に、その動作情報を利用するか否かを適切に判定して用紙情報を登録することができる印刷装置及び印刷方法を提供することにある。
【０００７】
また、本発明は、他の印刷装置に、印刷手段の動作状態を設定するための動作情報を含む用紙情報を送信する際に、用紙の特性を示す特性情報と動作情報とを含む用紙情報を送信するか、特性情報を含むが動作情報を含まない用紙情報を送信するかを、他の印刷装置が同種の印刷装置であるか否かに応じて適切に選択することができる印刷装置及び印刷方法を提供することにある。
【課題を解決するための手段】
【０００８】
上記目的を達成するために、本発明の印刷装置は、印刷データを入力する入力手段と、前記入力手段により入力された印刷データに基づいて用紙に印刷処理を実行する印刷手段とを有する印刷装置であって、他の装置から、用紙を印刷処理で利用する際の前記印刷手段の動作状態を設定するための動作情報を含む用紙情報を受信する受信手段と、前記動作情報を利用するか否かを判定する動作情報判定手段と、前記動作情報判定手段が前記動作情報を利用すると判定した場合に、前記用紙情報を登録する登録手段と、前記登録手段に登録された複数の前記用紙情報から、いずれかの用紙情報を選択する選択手段と、前記選択手段が選択した用紙情報に含まれる前記動作情報に基づいた動作状態にて前記印刷処理を実行させるよう前記印刷手段を制御する制御手段とを有することを特徴とする。
【０００９】
また、本発明の印刷装置は、他の印刷装置に用紙情報を送信する印刷装置であって、印刷データを入力する入力手段と、前記入力手段により入力された印刷データに基づいて用紙に印刷処理を実行する印刷手段と、前記印刷処理で利用する用紙の特性を示す特性情報と該用紙を印刷処理で利用する際の前記印刷手段の動作状態を設定するための動作情報とを含む用紙情報を登録する登録手段と、前記登録手段に登録された複数の前記用紙情報から、いずれかの用紙情報を選択する選択手段と、前記選択手段が選択した用紙情報に含まれる前記動作情報に基づいた動作状態にて前記印刷処理を実行させるよう前記印刷手段を制御する制御手段と、前記他の装置が前記印刷装置と同種の印刷装置であるか否かを判定する装置判定手段と、前記装置判定手段が同種であると判定した場合は前記特性情報と前記動作情報とを含む用紙情報を前記他の印刷装置へ送信し、前記装置判定手段が同種でないと判定した場合は前記特性情報を含むが前記動作情報を含まない用紙情報を前記他の印刷装置へ送信する送信手段とを有することを特徴とする。
【００１０】
また、本発明の印刷方法は、情報処理装置から印刷装置に用紙情報を送信し、前記印刷装置に印刷処理を実行させる印刷方法であって、前記情報処理装置から前記印刷装置へ、印刷処理で利用する用紙の特性を示す特性情報と該用紙を印刷処理で利用する際の前記第２の印刷装置の動作状態を設定するための動作情報を含む前記用紙情報を送信する送信工程と、前記動作情報を印刷装置において利用するか否かを判定する動作情報判定工程と、前記動作情報判定工程が前記動作情報を利用すると判定した場合に、前記送信工程が送信した用紙情報を前記印刷装置に登録する登録工程と、前記登録工程にて登録された複数の前記用紙情報から、いずれかの用紙情報を選択する選択工程と、前記選択工程にて選択した用紙情報に含まれる前記動作情報に基づいた動作状態にて前記印刷装置に印刷処理を実行させるよう制御する制御工程とを有することを特徴とする。
【００１１】
また、本発明の印刷方法は、第１の印刷装置から第２の印刷装置に用紙情報を送信し、前記第１の印刷装置に印刷処理を実行させる印刷方法であって、前記第１の印刷装置による印刷処理で利用する用紙の特性を示す特性情報と該用紙を前記第１の印刷装置による印刷処理で利用する際の前記第１の印刷装置の動作状態を設定するための動作情報とを含む用紙情報を登録する登録工程と、前記登録工程にて登録された複数の前記用紙情報から、いずれかの用紙情報を選択する選択工程と、前記選択工程が選択した用紙情報に含まれる前記動作情報に基づいた動作状態にて前記第１の印刷装置に印刷処理を実行させるよう前記第１の印刷装置を制御する制御工程と、前記第２の印刷装置が前記第１の印刷装置と同種の印刷装置であるか否かを判定する装置判定工程と、前記装置判定工程が同種であると判定した場合は前記特性情報と前記動作情報とを含む用紙情報を前記第１の印刷装置から前記第２の印刷装置へ送信し、前記装置判定工程が同種でないと判定した場合は前記特性情報を含むが前記動作情報を含まない用紙情報を前記第１の印刷装置から前記第２の印刷装置へ送信する送信工程とを有することを特徴とする。
【発明の効果】
【００１２】
本発明によれば、他の装置から印刷手段の動作状態を設定するための動作情報を含む用紙情報を受信した場合に、その動作情報を利用するか否かを適切に判定して用紙情報を登録することができる印刷装置及び印刷方法を提供することができる。
【００１３】
また、本発明によれば、他の印刷装置に、印刷手段の動作状態を設定するための動作情報を含む用紙情報を送信する際に、用紙の特性を示す特性情報と動作情報とを含む用紙情報を送信するか、特性情報を含むが動作情報を含まない用紙情報を送信するかを、他の印刷装置が同種の印刷装置であるか否かに応じて適切に選択することができる印刷装置及び印刷方法を提供することができる。
【発明を実施するための最良の形態】
【００１４】
以下、添付図面を参照して本発明の実施の形態を説明する。
【００１５】
（第１の実施形態）
＜印刷システム（印刷装置）の全体構成＞
図１は、本発明の実施形態に対応する印刷システム（印刷装置）の全体構成を示す図である。
【００１６】
図１において、１０５は印刷装置であり、印刷データに基づいてシートに印刷処理をするとともに、印刷処理されたシートをスタッカ装置１０４へ搬送する。スタッカ装置１０４は、印刷装置１０５から搬送されたシートをスタックトレイ（不図示）に積載する。また、スタッカ装置１０４は、印刷装置１０５から搬送されたシートをスタックトレイに積載することなく、くるみ製本装置１０３へ搬送することもできる。くるみ製本装置１０３は、印刷装置１０５からスタッカ装置１０４を介して搬送される複数のシートＳを集積トレイにシート束として積載する。そして、集積トレイに積載されたシート束をカバーシート積載トレイに積載されたカバーシートでくるむことでくるみ製本物を作成する。
【００１７】
なお、くるみ製本装置１０３は、スタッカ装置１０４から搬送されたシートＳを集積トレイに積載することなく、中綴じ製本装置１０２へ搬送することもできる。中綴じ製本装置１０２は、印刷装置１０５からくるみ製本装置１０３を介して搬送される複数のシートＳからなるシート束Ｓ１に対してステイプル処理を実行することで中綴じ製本物を作成する。なお、中綴じ製本装置１０２にて作成された中綴じ製本物は、断裁装置１０１に搬送され断裁処理が実行される。
【００１８】
＜印刷装置の制御構成＞
図２は、本発明の実施形態に対応する印刷装置１０５の制御構成を示すブロック図である。
【００１９】
図２において２０１はスキャナ部であり、複数枚の原稿（紙等のシートに画像が印刷されたもの）を光学的に読み取って画像データを生成するとともに、読み取られた画像データに対して画像処理（例えば、シェーディング補正処理）を実行する。そして、スキャナ部２０１は、画像処理が実行された複数ページの画像データを１つの印刷ジョブ（印刷データ）としてハードディスク（ＨＤＤ）２０９へ記憶させる。２０２は外部Ｉ／Ｆであり、印刷装置１０５にネットワーク２３２を介して接続された外部装置としてのコンピュータ端末２３３から複数ページの画像データを含む印刷ジョブを受信する。そして、外部Ｉ／Ｆ２０２は、受信した印刷ジョブをハードディスク２０９へ記憶させる。なお、外部Ｉ／Ｆ２０２は、印刷装置２３４及び印刷装置２３５との通信にも用いられる。ここで、印刷装置２３４は、印刷装置１０５と同様の構成を有する。一方で、印刷装置２３５は、印刷装置１０５と異なる構成を有する。ただし、印刷装置２３５が、印刷装置１０５と異なる点は、プリンタ部２０３の構成が異なるのみであり、他の構成は同様であるものとする。プリンタ部２０３の構成の具体的な差異は、後述する定着部３２７、転写部３２５の構成の違いがある点である。２０３はプリンタ部であり、ハードディスク２０９に記憶された印刷ジョブに基づいて、複数のシート（用紙）に印刷処理を実行する。なお、印刷ジョブは複数ページの画像データから構成されているので、複数の画像データが複数のシートの各々に印刷処理される。２０４は操作部であり、印刷装置１０５の操作者による各種の指示を受け付け、受け付けた指示をメモリコントローラ部２０６へ伝えることで印刷装置１０５に各種の設定を行うものである。
【００２０】
ＣＰＵ２０５は、ＲＯＭ２０７から読み込んだプログラムをＲＡＭ２０８へ書き込み、ＲＡＭ２０８を用いてプログラムを実行することで印刷装置１０５を含む製本システム２０００の全体を制御する。なお、ＲＯＭ２０７には、外部Ｉ／Ｆ２０２が外部装置から印刷ジョブとして受信したＰＤＬ（Ｐａｇｅ  Ｄｅｓｃｒｉｐｔｉｏｎ  ｌａｎｇｕａｇｅ：ページ記述言語）コードデータを解釈するためのプログラムが記憶されている。さらに、ＲＯＭ２０７には、ＰＤＬコードデータを解釈した後にプリンタ部２０３にて印刷可能なデータを生成するためのプログラムが記憶されている。メモリコントローラ部２０６は、ＲＯＭ２０７、ＲＡＭ２０８、及びハードディスク２０９に対する、各部からのアクセスを制御する。
【００２１】
圧縮伸長部２１０は、ＪＢＩＧやＪＰＥＧ等といった各種圧縮方式によってＲＡＭ２０８、ハードディスク２０９に記憶されている画像データに圧縮処理を実行することができる。また、圧縮伸長部２１０は、各種圧縮方式により圧縮処理された画像データを伸長する伸長処理を実行することができる。
【００２２】
回転部２３１は、ハードディスク２０９に記憶された画像データをプリンタ部２０３へ送信して印刷処理を実行させるにあたって、画像データを回転させる必要がある場合に、回転処理を実行するものである。回転部２３１は、回転処理として、画像データの天地方向を逆転させる１８０°回転処理や、９０°回転処理等の、任意の角度の回転処理を実行することができる。なお、回転部２３１が実行する回転処理の回転角度の設定等は、ＣＰＵ２０５からできるものとする。
【００２３】
オプションＩ／Ｆ２３０は、ＣＰＵ２０５が、印刷装置１０５に接続されるオプション装置としてのスタッカ装置１０４、くるみ製本装置１０３、中綴じ製本装置１０２及び断裁装置１０１と通信するためのインターフェースである。スタッカ装置１０４、くるみ製本装置１０３、中綴じ製本装置１０２及び断裁装置１０１は各々内部の動作を制御するためのＣＰＵ（不図示）を有する。そして、印刷装置１０５のＣＰＵ２０５は、オプションＩ／Ｆ２３０を介して各オプション装置のＣＰＵを制御するための制御コマンドを送信することにより、スタッカ装置１０４、くるみ製本装置１０３、中綴じ製本装置１０２及び断裁装置１０１を制御する。
【００２４】
＜印刷装置の構成＞
次に、印刷装置１０５の構成について、図３を用いて説明する。
【００２５】
印刷装置１０５は、大きく分けてスキャナ部２０１およびプリンタ部２０３から構成される。スキャナ部２０１は、原稿給送ユニット２５０に積載されたシート束をその積載順に従って先頭（最上部）から順次１枚ずつプラテンガラス２１１上に給送する。そして原稿給送ユニット２５０は、スキャナユニット２２０による読み取り動作が終了した後、排出トレイ２１９に排出する。スキャナ部２０１は、プラテンガラス２１１上に原稿シートが搬送されると、ランプ２１２を点灯して光学ユニット２１３の移動を開始させ、シート状の原稿を下方から照射しながら走査する。原稿からの反射光が複数のミラー２１４、２１５、２１６およびレンズ２１７を通ってＣＣＤイメージセンサ（以下、ＣＣＤ）２１８に導かれ、走査された原稿上の画像はＣＣＤ２１８によって画像データとして読み取られる。ＣＣＤ２１８で読み取られた画像データは、所定の画像処理が施された後、ハードディスク２０９に記憶される。
【００２６】
プリンタ部２０３は、ハードディスク２０９から読み出される画像データに対応するレーザ光を、レーザドライバ３２１によって駆動されるレーザ発光部３２２から出力する。レーザ光を照射された感光ドラム３２３にはレーザ光に応じた静電潜像が形成され、現像器３２４は静電潜像の部分に現像剤（例えば、トナー）を付着させる。
【００２７】
一方、レーザ光の照射開始と同期したタイミングで、カセット３１１、カセット３１２、カセット３１３、カセット３１４、手差しトレイ３１５の何れかからシートＳを給紙し、搬送路３３１を経由して転写部３２５まで搬送する。ここで、手差しトレイ３１５には、シートＳが載置されたことを検知するシート検知センサ３１５ａが設けられている。転写部３２５は感光ドラム３２３に付着している現像剤をシートＳ上に転写する。現像剤が転写されたシートＳは搬送ベルト３２６によって定着部３２７に搬送され、定着部３２７にて加熱される。それによりシートＳ上の現像剤は、シートＳに定着される。現像剤が定着したシートＳは、搬送路３３５、３３４を経由してスタッカ装置１０４に搬送される。スタッカ装置１０４にシートＳを搬送するにあたってシートＳを反転させてから搬送する場合、ＣＰＵ２０５はシートＳを搬送路３３６、３３８まで導くようプリンタ部２０３を制御する。そしてその後に、シートＳを逆方向に搬送し、搬送路３３７、３３４を経由してスタッカ装置１０４にシートＳを搬送する。
【００２８】
次に、図６を参照しつつ、第１の実施形態におけるプリンタ部２０３の制御構成について説明する。
【００２９】
印刷装置１０５が備えるプリンタ部２０３は、メモリコントローラ部２０６を介してＣＰＵ２０５と相互に通信可能となっている。プリンタ部２０３のＣＰＵ２００３は、メモリコントローラ部２０６から画像データと印刷処理を実行するためのコマンドを受信し、受信した画像データを解析してビットデータに変換するとともに、受信したコマンドの解析を行う。
【００３０】
プリンタ部２０３は、ＣＰＵ２００３により制御される各種制御部を備えている。各種制御部としては、シートＳを搬送するために印刷装置１０５が備える各種ローラの制御をするためのシート搬送制御部２００４、感光ドラム３２３を所定電位に帯電するために帯電ローラに印加する電圧を制御するための帯電制御部２００５がある。また、ＣＰＵ２０５がメモリコントローラ部２０６から受信した画像データに基づいて感光ドラム３２３の表面を露光するレーザの走査を制御するためのレーザ走査制御部２００６を有する。更に、プリンタ部２００３は、感光ドラム３２３の表面に形成された静電潜像を現像すべく現像器３２４を制御するための現像制御部２００７を有する。更に、プリンタ部２０３は、感光ドラム３２３上に形成されたトナー像（現像材像）をシートＳに転写するよう転写部３２５に印加する転写電圧を制御するための転写制御部２００８を有する。また、プリンタ部２０３は、トナー像が転写されたシートＳ上にトナー像を定着させるよう定着部３２７を構成するローラ対の回転及びローラ対の少なくとも一方が有するヒータへの投入電力を制御するための定着制御部２００９を有する。また、プリンタ部２０３は、印刷部２へシートＳを給紙するようカセット３１１、カセット３１２、カセット３１３、カセット３１４が備えるローラの駆動を制御するための給紙装置制御部２０１０を備えている。
【００３１】
＜操作部の構成＞
次に、図４を用いて印刷装置１０５が備える操作部２０４の構成について説明する。
【００３２】
操作部２０４は、各種ハードキー４−２４１〜４−２４６を含むハードキー群４−２４０を備える。また、操作部２０４は、液晶表示装置からなるドットマトリックスで構成される液晶表示部４−２５０を有する。液晶表示部４−２５０は表面にタッチパネルを備えている。操作部２０４は、印刷装置１０５の操作者がキー表示部を押下したことによりキー入力がされたことを検知し、ＣＰＵ２０５へキー入力に応じた信号を送信する。そして、ＣＰＵ２０５は、ＲＯＭ２０７に記憶されたプログラムに基づいて印刷装置１０５を制御し、受信した信号に応じた動作を実行する。
【００３３】
キー４−２４３は電源キーで、電源のＯＮ／ＯＦＦをする為のキーである。キー４−２４４は節電キーで、節電モードにする／節電モードを解除する為のキーである。スタートキー４−２４１は、スキャナ部２０１による原稿上の画像の読み取り動作を開始させる指示等の各種処理をスタートさせる指示を操作者に入力させる為のキーである。ストップキー４−２４２は、印刷装置１０５を含む製本システム２０００により実行中の動作を中止させる指示を操作者に入力させる為のキーである。
【００３４】
また、キー群４−２４５は、コピー枚数、ズーム倍率等を入力させる０〜９までのテンキーとその入力をクリアするためのクリアキーを有する。このキー郡４−２４５で入力されたコピー部数は、液晶表示部４−２５３に表示される。リセットキー４−２４６は、液晶表示部４−２５０やハードキー群４−２４０を介して操作者により設定された設定条件を初期状態に戻すためのキーである。
【００３５】
液晶表示部４−２５０は、ＣＰＵ２０５からの指示により、製本システム２０００の動作状態等を表示する。液晶表示部４−２５０には、タッチキーも表示される。液晶表示部４−２５０において、キー４−２５２は、印刷装置１０５が印刷処理に用いるシートＳ（用紙）が積載されたカセットを選択するキーである。ＣＰＵ２０５は、このキーが操作者により押下されると、液晶表示部４−２５０に図５に示す用紙選択画面を表示するよう操作部２０４を制御する。
【００３６】
図５（ａ）に示す用紙選択画面のキー群４−２７１で印刷処理に用いるカセット（カセット３１１〜３１５のいずれか）が選択される。そして、ＣＰＵ２０５は、閉じるキー４−２７０が操作者により押下されると、この画面は閉じて図４の画面に戻し、選択されたカセットを表示部４−２５１に表示させる。
【００３７】
図４のキー４−２５８、４−２６２は、濃度調整を行うためのキーである。ＣＰＵ２０５は、これらのキーにより調整される濃度を表示部４−２６３に表示させる。キー４−２５９は、自動濃度調整機能をＯＮ／ＯＦＦするためのキーである。キー４−２６１は写真モード／テキストモード等の設定を行うためのキーである。
【００３８】
キー４−２５４，キー４−２５５は、それぞれ等倍，縮小／拡大を設定するためのキーである。キー４−２５５が押下されると、ＣＰＵ２０５は液晶表示部４−２５０に、図５（ｂ）に示す倍率画面を表示させ、拡大縮小を詳細に設定可能にする。図に示す倍率画面のキー群４−２７３で倍率が選択され、閉じるキー４−２７２が操作者により押下されると、ＣＰＵ２０５はこの画面は閉じて図４の画面に戻す。そして、ＣＰＵ２０５は、設定された倍率を表示部４−２５１に表示させる。
【００３９】
キー４−２５７は両面キーで、キー４−２５７が押下されると、ＣＰＵ２０５は液晶表示部４−２５０に、図５（ｃ）に示す両面印刷設定画面を表示させる。以下、両面印刷の設定に関して図５（ｃ）を参照して説明する。
【００４０】
図５（ｃ）において、キー４−２８０は、片面にのみ画像が印刷された原稿（以下、片面原稿）を用いてシートの両面に印刷処理するための設定キーである。そして、キー４−２８１は、両面に画像が印刷された原稿（以下、両面原稿）を用いてシートの両面に印刷処理するための設定キーである。キー４−２８３は、両面原稿をもちいてシートの片面のみに印刷処理するための設定キーである。また、キー４−２８４は、ページ連写両面を行うための設定キーである。
【００４１】
キー４−２８５は、図５（ｃ）の両面印刷設定画面において操作者によりなされた設定を有効にするためのキーである。このキーが押下されると、ＣＰＵ２０５は、図５（ｃ）の両面印刷設定画面での設定を有効にし、液晶表示部４−２５０の表示を図４の画面に戻す。また、キー４−２８２は、図５（ｃ）において行った設定を取り消すためのキーであり、このキーが押下されると、ＣＰＵ２０５は、図５（ｃ）の両面印刷設定画面での設定を無効にし、液晶表示部４−２５０の表示を図４の画面に戻す。
【００４２】
図４の表示画面上のキー４−２５６は、印刷装置１０５が印刷処理した用紙（シート）を製本システム２０００における何れの装置に排紙するかをユーザにより入力可能にする為のキーである。
【００４３】
図７は、給紙カセット（カセット３１１〜３１５のいずれか）に積載するシートＳのサイズを指定するための操作画面である。図７の操作画面は、図５（ａ）にて給紙カセットのいずれか１つ（カセット３１１〜３１５のいずれか）が選択された後に表示される画面である。図７の画面上のキー群７０１は、図５（ａ）にて選択されたシートに積載するシートのサイズを操作者により設定させる為のキーである。例えば、操作者により、図７の画面上の「Ａ４」サイズが押下され「次へ」キーが押下されると、ＣＰＵ２０５は、液晶表示部４−２５０に図８に示す操作画面を表示させる。
【００４４】
図８は、給紙トレイに積載される用紙の種類を設定するための操作部２０４の表示画面を示す図である。
【００４５】
図８において８０１〜８０８のいずれかを押下することにより、用紙種類を設定する。そして、印刷装置１０５の使用者がキー８１０を押下することで、用紙の種類が確定し、図５（ａ）の操作画面に戻る。
【００４６】
以上のように図５（ａ）にて選択されたカセットに積載される用紙について、図７で用紙サイズが設定され、図８で用紙種類が設定される。そして、ＣＰＵ２０５は、設定された用紙に付与された用紙ＩＤを各々の給紙トレイに対応付けてＨＤＤ２０９に給紙トレイ情報として記憶させる。給紙トレイ情報の一例を示したものが、図１４である。例えば、コンピュータ端末２３３から印刷ジョブを受信して印刷処理を実行する場合に、給紙トレイ（給紙元）のみを指定した印刷ジョブがコンピュータ端末２３３にて生成される場合がある。このような場合、印刷ジョブには給紙トレイを特定する情報が含まれているので、ＣＰＵ２０５は図１４の給紙トレイを参照することで、印刷処理で用いる用紙の種類を特定することができる。
【００４７】
次に、ＨＤＤ２０９に記憶される用紙情報について説明する。
【００４８】
印刷装置１０５は、プリンタ部２０３にて印刷処理を実行するにあたって、各種の動作情報を用いて印刷処理を実行する。ここでいう動作情報とは、定着部３２７を加熱する際の温度値や、転写部３２５にて印加する転写電圧値や、用紙をプリンタ部２０３にて搬送させる際の搬送速度値（印刷速度値）等、プリンタ部２０３の各部の動作を制御するための情報をいう。印刷装置１０５は、様々な種類の用紙を用いて印刷処理を実行することが想定されるが、どのような種類の用紙を用いた場合でも一定の見栄えのする印刷物が得られることが望まれる。そこで、印刷装置１０５は、用紙情報に動作情報をも含ませておくことで、用紙の種類に応じて転写電圧、印刷速度及び定着温度を適切に制御する。動作情報に含まれるのは、後述する、定着温度情報、印刷速度情報、転写電圧情報である。なお、動作情報について、定着部３２７がシートを加圧する加圧力を示す情報等の他の情報を加えても良いのはいうまでもない。
【００４９】
用紙情報について、本実施形態においては、Ｔｙｐｅ１、Ｔｙｐｅ２及びＴｙｐｅ３という３つのタイプの用紙情報が存在する。
【００５０】
まず、用紙情報の１種であるＴｙｐｅ１の用紙情報について説明する。
【００５１】
Ｔｙｐｅ１とは、印刷装置１０５のＨＤＤ２０９に予め（例えば、製造時に）記憶されている用紙情報であり、図９に示すようなテーブルとしてＨＤＤ２０９に記憶されている。図９のテーブルにおいて、ＩＤとは複数種類のＴｙｐｅ１の用紙を識別するための情報であり、印刷装置１０５のＣＰＵ２０５は、このＩＤにより用紙の種類を判別する。用紙名称とは、用紙に与えられた名称を示すものである。また坪量とは、用紙の１平方メートル辺りの重量を示すものであり、表面性とは用紙の表面の材質を示すものである。また、形状とは用紙の外縁の形状を示すものである。なお、用紙の坪量、用紙の材質、用紙の形状は、用紙そのものの特性を示す情報であるので、以下では特性情報と呼ぶこととする。特性情報に含まれるのは、後述する、形状情報、坪量情報、材質情報である。
【００５２】
また、定着温度は定着部３２７を加熱する際の温度値であり、印刷速度はプリンタ部２０３にて印刷処理を実行するにあたって用紙を搬送させる際の搬送速度値である。また、転写電圧は、転写部３２５にて用紙に印加する転写電圧値を示すものである。Ｔｙｐｅ１の用紙情報に含まれる用紙は、印刷装置１０５の操作部２０４から印刷処理に用いる用紙として選択することができる。具体的には、Ｔｙｐｅ１の用紙情報に含まれる用紙は、図８の操作画面にて選択できるようになっている。図９の例では、印刷装置１０５のＨＤＤ２０９にＴｙｐｅ１の用紙として８種類の用紙が登録されている場合を示したが、８種類に限らず任意の種類をＴｙｐｅ１として予め登録しておくようにしても良い。
【００５３】
次に、用紙情報の１種であるＴｙｐｅ３の用紙情報について説明する。
【００５４】
Ｔｙｐｅ３とは、印刷装置１０５のＨＤＤ２０９に予め（例えば、製造時）記憶されている用紙情報であり、この点ではＴｙｐｅ１の用紙情報と同じである。しかし、Ｔｙｐｅ３がＴｙｐｅ１と異なる点は、Ｔｙｐｅ３の用紙情報に含まれる用紙が、印刷装置１０５の印刷処理に用いる用紙として図８の画面にて選択することができない点である。つまり、Ｔｙｐｅ３の用紙情報に含まれる用紙は、印刷装置１０５による印刷処理には用いることができず、後述するＴｙｐｅ２の用紙情報として登録することで、初めて印刷処理に用いることができるようになる。印刷処理に用いる用紙は数千種類のものが市場に存在するが、これら全ての種類の用紙について印刷装置１０５の印刷処理にて用いることができるようにするのは問題がある。具体的には、図８のような操作画面にて、数千種類の用紙の中から所望の用紙を選択するのは困難である。そこで、印刷装置１０５は、Ｔｙｐｅ３の用紙の中から印刷装置１０５の使用者が必要とする種類の用紙だけを印刷処理にて用いることができるように登録する。
【００５５】
具体的には、Ｔｙｐｅ３の用紙情報に含まれる用紙を印刷装置１０５による印刷処理に用いることができるようにする場合、印刷装置１０５の使用者は、図８の操作画面において、用紙の登録キー８１０を押下する。ＣＰＵ２０５は、用紙の登録キー８１０が押下されたことに応じて、図１２に示す操作画面を操作部２０４に表示させる。図１２の操作画面においては、Ｔｙｐｅ３に含まれる用紙を選択できる。図１２に示した例では、Ｔｙｐｅ３の中でＩＤが０２３４−００００〜０２４１−００００に相当する８種類の用紙が選択できるように表示されている。この８種類の用紙を特定する部分（１２０１〜１２０８）が押下され、ＯＫキー１２０９が押下されると、図８において選択できる用紙として新たな用紙がＴｙｐｅ２の用紙情報として登録される。このような登録が行われることで、印刷装置１０５が印刷処理に用いることができる用紙が新たに登録（追加）されることとなる。なお、図１２の例では８種類のＴｙｐｅ３に含まれる用紙が選択できるものとした。しかし、Ｔｙｐｅ３には図１０に示す１０００種類の用紙が含まれるので、図１２の画面においては、用紙情報をスクロール表示させることで１０００種類の用紙のいずれかが選択できるものとする。
【００５６】
次に、用紙情報の１種であるＴｙｐｅ２の用紙情報について説明する。
【００５７】
Ｔｙｐｅ２の用紙情報に含まれる用紙とは、Ｔｙｐｅ３に含まれる用紙のうち、図１２の画面を用いた登録処理により新たに印刷装置１０５が印刷処理に使用できるものとなった用紙のことをいう。また、Ｔｙｐｅ１に含まれる用紙を複製して新たにＴｙｐｅ２の用紙として登録することもできる。複製を行う場合は、図８の操作画面にてＴｙｐｅ１に含まれる用紙を選択した状態で、複製キー８１２を押下すればよい。キー８１２を押下すると、Ｔｙｐｅ１の用紙とは別にＴｙｐｅ２の用紙として新たな用紙が追加される。Ｔｙｐｅ２の用紙情報の一例を示したものが図１１である。なお、Ｔｙｐｅ１から複製したＴｙｐｅ２の用紙は、Ｔｙｐｅ１の用紙と同じ用紙情報となるが、用紙名称については重複しないように書き換えられる。なお、Ｔｙｐｅ２に含まれる用紙については、図８にて編集キー８１１を押下することで、用紙の編集をすることが可能である。一例として、図９に示すＴｙｐｅ１の用紙情報の中からＩＤが０００２−００００の用紙情報をＴｙｐｅ２の用紙情報として新たに登録（複製）した場合について説明する。この場合、図８のキー８０２を押下した状態で複製キー８１２を押下することで新規の用紙情報がＴｙｐｅ２に登録（複製）される。そして、Ｔｙｐｅ２として登録された用紙を図８の画面にて選択した後に編集キー８１１を押下すると、図１３の操作画面が操作部２０４に表示される。ここで、印刷装置１０５の操作者は、変更キー１３０１を押下してその後に表示される画面（不図示）にて操作部２０４を用いた文字入力を行うことで、用紙情報のうち用紙名称情報を変更することができる。また、印刷装置１０５の操作者は、変更キー１３０２を押下してその後に表示される画面（不図示）にて操作部２０４を用いた数値入力を行うことで、用紙情報のうち坪量情報を変更することができる。また、印刷装置１０５の操作者は、変更キー１３０３を押下してその後に表示される画面（不図示）にて操作部２０４を用いた選択処理（上質、再生、コートのいずれかの選択処理）を行うことで、用紙情報のうち材質情報を変更することができる。また、印刷装置１０５の操作者は、変更キー１３０４を押下してその後に表示される画面（不図示）にて操作部２０４を用いた数値入力を行うことで、用紙情報のうち定着温度情報を変更することができる。また、印刷装置１０５の操作者は、変更キー１３０５を押下してその後に表示される画面（不図示）にて操作部２０４を用いた数値入力を行うことで、用紙情報のうち印刷速度情報を変更することができる。また、印刷装置１０５の操作者は、変更キー１３０６を押下してその後に表示される画面（不図示）にて操作部２０４を用いた数値入力を行うことで、用紙情報のうち転写電圧情報を変更することができる。
【００５８】
以上説明したように、Ｔｙｐｅ２の用紙情報は、定着温度情報、印刷速度情報、転写電圧情報等の動作情報を含むものであり、各情報は印刷装置１０５の使用者が任意に変更することができる。この変更により、印刷装置１０５の使用者は、特定の用紙を用いて印刷処理をする際の印刷物の見栄え（色味、濃度等）を、適切に調整することができる。
【００５９】
なお、以上の変更処理は、ＣＰＵ２０５が、操作部２０４に入力された情報に基づいて、ＨＤＤ２０９に記憶されたＴｙｐｅ２の用紙情報を書き換えることにより実行される。また、以上の変更処理の結果として操作部２０４には、印刷装置１０５が印刷処理に用いることができる用紙として、Ｔｙｐｅ１とＴｙｐｅ２の用紙情報を含むものが表示される。
【００６０】
次に、印刷装置２３４に登録されている用紙情報を印刷装置１０５に送信する手順について説明する。
【００６１】
印刷装置２３４は、前述した印刷装置１０５と同様の構成を有しており、印刷装置２３４においてもＴｙｐｅ２の用紙情報が登録されている。そして、印刷装置２３４と印刷装置１０５とで、同じ文書データを同じ用紙を用いて印刷処理する場合に、同様の見栄えのする印刷物を作成したいという要求がある。そこで、印刷装置２３４に登録されているＴｙｐｅ２の用紙情報を印刷装置１０５に送信して、印刷装置２３４と印刷装置１０５とで同じ動作情報を用いて印刷処理を実行させる。これにより、印刷装置２３４と印刷装置１０５とで、同じ文書データを同じ種類の用紙を用いて印刷処理する場合に、同様の見栄えのする印刷物を作成することができる。
【００６２】
以下、具体的な手順について詳述する。
【００６３】
印刷装置２３４の使用者は、操作部のユーザモードキー（不図示）を押下することで、図１５に示す表示画面１５００を印刷装置２３４の操作部に表示させる。
【００６４】
図１５は、印刷装置２３４の操作部の表示される画面であって、用紙情報を送信（配信）するための各種の設定をするための画面を示す図である。
【００６５】
表示画面１５００で印刷装置２３４の使用者がボタン１５０１を押下すると、印刷装置２３４を制御するＣＰＵが、操作部上に用紙情報の配信先を登録するための配信先登録画面（不図示）を表示させる。配信先登録画面においては、配信先の印刷装置を特定するための情報としてＩＰアドレスを入力するとともに、配信先の印刷装置の名称もあわせて入力することができる。
【００６６】
表示画面１５００で印刷装置２３４の使用者がボタン１５０２を押下すると、印刷装置２３４を制御するＣＰＵが、操作部上に用紙情報の配信先を選択するための配信先選択画面１６００を表示させる（図１６参照。）。配信先選択画面においては、配信先として選択できる複数の印刷装置を特定するための情報として、ＩＰアドレスがリスト状に表示されている。印刷装置２３４の使用者は、配信先のリストから所望の配信先（１６０１又は１６０２）を選択し、その後に配信開始ボタン１６０３を押下することで、配信先として選択した印刷装置に用紙情報を送信（配信）する。なお、複数の配信先を選択した状態で配信開始ボタン１６０３を押下すると、複数の配信先に対して用紙情報が同時に配信されることになる。
【００６７】
次に、印刷装置２３４又は印刷装置２３５が用紙情報の配信先として印刷装置１０５を選択した場合に、印刷装置１０５が実行する動作について説明する。
【００６８】
図１７は、印刷装置１０５が印刷装置２３４又は印刷装置２３５から用紙情報を受信した場合に実行する動作を説明するフローチャートである。なお、図１７のフローチャートにおける各ステップは、ＣＰＵ２０５が印刷装置１０５の各部にコマンドを送信することにより実行するものである。
【００６９】
ステップＳ１７０１で印刷装置１０５のＣＰＵ２０５は、外部Ｉ／Ｆ２０２を介して、印刷装置２３４から用紙情報を受信したか否かを判定する。ＣＰＵ２０５が用紙情報を受信してＨＤＤ２０９に格納したと判定した場合はステップＳ１７０２へ進み、そうでなければ再びステップＳ１７０１を実行する。なお、用紙情報はＨＤＤ２０９に格納したからといって印刷処理で利用可能な用紙として登録されるわけではない。印刷処理にて利用可能な用紙として登録するには、後述するステップＳ１７０５の処理が必要となる。
【００７０】
ステップＳ１７０２でＣＰＵ２０５は、用紙情報の配信元である印刷装置２３４（又は印刷装置２３５）が印刷装置１０５と同種の印刷装置であるか否かを判定する。同種の印刷装置であるか否かは、以下の情報に基づいて判定するものとする。１つは、印刷装置２３４（又は印刷装置２３５）から受信した用紙情報に含まれる印刷装置２３４（又は印刷装置２３５）の機種を特定するための情報である。もう１つは、印刷装置１０５のＲＯＭ２０７に記憶されている印刷装置１０５の機種を特定するための情報である。ここで、印刷装置２３４（又は印刷装置２３５）と印刷装置１０５とは同種の印刷装置であるため、印刷装置２３４（又は印刷装置２３５）の機種を特定するための情報と印刷装置１０５を特定するための情報は一致する。具体的には、機種ＩＤとして“００１”が印刷装置２３４から受信した用紙情報に含まれており、おなじ機種ＩＤ“００１”が印刷装置１０５のＲＯＭ２０７に格納されている。そして、ステップＳ１７０２で、ＣＰＵ２０５は、印刷装置２３４が印刷装置１０５と同種の印刷装置であると判定するので、ステップＳ１７０３へ進む。一方で、機種ＩＤとして“００２”が印刷装置２３５から受信した用紙情報に含まれており、異なる機種ＩＤ“００１”が印刷装置１０５のＲＯＭ２０７に格納されている。この場合は、ステップＳ１７０２で、ＣＰＵ２０５は、印刷装置２３５が印刷装置１０５と同種の印刷装置でないと判定するので、ステップＳ１７０６へ進む。
【００７１】
なお、後述の説明から明らかなように、ステップＳ１７０２でＣＰＵ２０５は、印刷装置２３４（又は印刷装置２３５）から受信した用紙情報に含まれる動作情報を利用するか否かを判定することとなる。ＣＰＵ２０５は、用紙情報を印刷装置２３４から受信した場合、ステップＳ１７０２からステップＳ１７０３に進んでステップＳ１７０５を実行することで、受信した用紙情報を、動作情報を含めてＴｙｐｅ２の用紙情報として登録する。
【００７２】
一方、ＣＰＵ２０５は、用紙情報を印刷装置２３５から受信した場合、ステップＳ１７０２からステップＳ１７０６に進んでステップＳ１７０５を実行することで、受信した動作情報を用いることなく、他の動作情報を用紙情報に付加してＴｙｐｅ２の用紙情報を登録する。
【００７３】
ステップＳ１７０３で、ＣＰＵ２０５は、受信した用紙情報から１レコード分の用紙情報を抽出してステップＳ１７０４に進む。ステップＳ１７０４でＣＰＵ２０５は、抽出した１レコード分の用紙情報に加えて他の用紙情報が有るか否かを判定し、次のレコードがあればステップＳ１７０３へ戻り、そうでなければステップＳ１７０５へ進む。ステップＳ１７０５でＣＰＵ２０５は、印刷装置２３４から受信した用紙情報を、印刷装置１０５におけるＴｙｐｅ２の用紙情報としてＨＤＤ２０９に記憶（登録）させる。
【００７４】
一方、ステップＳ１７０６で、ＣＰＵ２０５は、受信した用紙情報から１レコード分の用紙情報を抽出してステップＳ１７０７に進む。
【００７５】
ステップＳ１７０７〜ステップＳ１７１０で、ＣＰＵ２０５は、ステップＳ１７０６で抽出した用紙情報が印刷装置１０５で利用可能かどうかを、図１８に示す用紙情報判定テーブルにて判定する。以下、ステップＳ１７０７〜Ｓ１７１０の各ステップにてＣＰＵ２０５が判定する動作について説明する。なお、ステップＳ１７０７〜ステップＳ１７１０では、印刷装置２３５から受信する用紙情報の一例として、図１９に示す用紙情報を受信した場合について説明を加える。
【００７６】
ステップＳ１７０７で、ＣＰＵ２０５は、ステップＳ７０６で抽出した用紙情報（図１９における“ＳＳＳ  Ｃｏｍｐａｎｙ  Ｐｌａｉｎ  Ｐａｐｅｒ”）が印刷装置１０５にて利用可能な形状であるか否かを判定する。具体的に、ＣＰＵ２０５は、“ＳＳＳ  Ｃｏｍｐａｎｙ  Ｐｌａｉｎ  Ｐａｐｅｒ”の形状が“Ｎｏｒｍａｌ”であり、図１８の“Ｎｏｒｍａｌ”と一致することから、ステップＳ１７０８へ進む。
【００７７】
ステップＳ１７０８で、ＣＰＵ２０５は、ステップＳ７０６で抽出した用紙情報（図１９における“ＳＳＳ  Ｃｏｍｐａｎｙ  Ｐｌａｉｎ  Ｐａｐｅｒ”）が印刷装置１０５にて利用可能な材質（表面性）であるか否かを判定する。具体的に、ＣＰＵ２０５は、“ＳＳＳ  Ｃｏｍｐａｎｙ  Ｐｌａｉｎ  Ｐａｐｅｒ”の材質が“Ｈｉｇｈ  Ｑｕａｌｉｔｙ”であり、図１８の“Ｈｉｇｈ  Ｑｕａｌｉｔｙ”に一致することから、ステップＳ１７０９へ進む。
【００７８】
ステップＳ１７０９で、ＣＰＵ２０５は、ステップＳ７０６で抽出した用紙情報（図１９における“ＳＳＳ  Ｃｏｍｐａｎｙ  Ｐｌａｉｎ  Ｐａｐｅｒ”）が印刷装置１０５にて利用可能な坪量であるか否かを判定する。具体的に、ＣＰＵ２０５は、“ＳＳＳ  Ｃｏｍｐａｎｙ  Ｐｌａｉｎ  Ｐａｐｅｒ”の坪量が“９０ｇ／ｍ２”であり、図１８の“８１〜１００ｇ／ｍ２”に含まれることから、ステップＳ１７１０へ進む。
【００７９】
ステップＳ１７１０で、ＣＰＵ２０５は、次のレコードがあるか否かを判定し、図１９の用紙情報には“ＳＳＳ  Ｃｏｍｐａｎｙ  Ｈｅａｖｙ  Ｐａｐｅｒ”が有るのでステップＳ１７０６へ戻る。
【００８０】
ステップＳ１７０６以降のステップを、図１９の“ＳＳＳ  Ｃｏｍｐａｎｙ  Ｈｅａｖｙ  Ｐａｐｅｒ”について実行することとなる。ここでＣＰＵ２０５は、“ＳＳＳ  Ｃｏｍｐａｎｙ  Ｈｅａｖｙ  Ｐａｐｅｒ”の坪量は図１８用紙情報判定テーブルにより、印刷装置１０５にて利用可能でない坪量であると判定する。従って、ステップＳ１７０９にてＣＰＵ２０５は、ステップＳ１７１１へ処理進め、“ＳＳＳ  Ｃｏｍｐａｎｙ  Ｈｅａｖｙ  Ｐａｐｅｒ”を用紙情報として新たに登録することなくＨＤＤ２０９から削除する。削除した後はステップＳ１７１０へ進む。ステップＳ１７１０でＣＰＵ２０５は、“ＳＳＳ  Ｃｏｍｐａｎｙ  Ｈｅａｖｙ  Ｐａｐｅｒ”に引き続く用紙情報のレコードとして、“ＳＳＳ  Ｃｏｍｐａｎｙ  Ｔａｂ  Ｐａｐｅｒ”があるので、ステップＳ１７０６へ戻る。
【００８１】
ステップＳ１７０６以降のステップを、図１９の“ＳＳＳ  Ｃｏｍｐａｎｙ  Ｔａｂ  Ｐａｐｅｒ”について実行することとなる。ここで、ＣＰＵ２０５は、“ＳＳＳ  Ｃｏｍｐａｎｙ  Ｔａｂ  Ｐａｐｅｒ”は図１８用紙情報判定テーブルにより、印刷装置１０５にて利用可能であると判定する。
【００８２】
そして、ステップＳ１７１０にて、ＣＰＵ２０５は、ステップＳ１７０１で受信した用紙情報に含まれる３つのレコードの全てについて用紙情報の抽出をしたことから、ステップＳ１７０５へ進む。
【００８３】
ステップＳ１７１０からステップＳ１７０５へ進む場合、ＣＰＵ２０５は、ステップＳ１７０６で抽出した用紙情報のレコードのうち、印刷装置１０５にて利用可能な用紙情報のレコードをＴｙｐｅ２の用紙として登録する。図１９の用紙情報については、“ＳＳＳ  Ｃｏｍｐａｎｙ  Ｐｌａｉｎ  Ｐａｐｅｒ”と“ＳＳＳ  Ｃｏｍｐａｎｙ  Ｈｅａｖｙ  Ｐａｐｅｒ”が印刷装置１０５にて利用可能である。従って、ＣＰＵ２０５は、この２つのレコードをＴｙｐｅ２の用紙としてＨＤＤ２０９に登録する。なお、ＣＰＵ２０５は、２つのレコードをＴｙｐｅ２の用紙としてＨＤＤ２０９に登録するにあたって、受信した用紙情報に付加されていた動作情報（定着温度情報、印刷速度情報、転写電圧情報）をそのまま用紙情報に含めたままで登録しても良い。しかし、他の方法であっても良い。例えば、用紙情報判定テーブルは、用紙情報の形状、表面性、坪量の３つのパラメータから、用紙情報に対応する適切な動作情報を選択するために用いることができる。具体的には、“ＳＳＳ  Ｃｏｍｐａｎｙ  Ｐｌａｉｎ  Ｐａｐｅｒ”についてＣＰＵ２０５は、形状＝Ｎｏｒｍａｌ、表面性＝Ｈｉｇｈ  Ｑｕａｌｉｔｙ、坪量＝９０ｇ／ｍ２に対して動作情報として下記を選択する。すなわち、定着温度として１８０℃、印刷速度として２４０ｍｍ／ｓｅｃ、転写電圧＝１．０ＫＶを選択する。そして、ＣＰＵ２０５は、“ＳＳＳ  Ｃｏｍｐａｎｙ  Ｐｌａｉｎ  Ｐａｐｅｒ”をＴｙｐｅ２の用紙情報としてＨＤＤ２０９に登録するにあたって、動作情報として下記を選択する。すなわち、定着温度として１８０℃、印刷速度として２４０ｍｍ／ｓｅｃ、転写電圧＝１．０ＫＶを選択する。また、“ＳＳＳ  Ｃｏｍｐａｎｙ  Ｔａｂ  Ｐａｐｅｒ”についてＣＰＵ２０５は、形状＝Ｔａｂ、表面性＝Ｃｏａｔｅｄ、坪量＝１８０ｇ／ｍ２に対して動作情報として下記を選択する。すなわち、定着温度として１９５℃、印刷速度として１８０ｍｍ／ｓｅｃ、転写電圧＝１．３ＫＶを選択する。そして、ＣＰＵ２０５は、“ＳＳＳ  Ｃｏｍｐａｎｙ  Ｔａｂ  Ｐａｐｅｒ”をＴｙｐｅ２の用紙情報としてＨＤＤ２０９に登録するにあたって、動作情報として、定着温度として１９５℃、印刷速度として１８０ｍｍ／ｓｅｃ、転写電圧＝１．３ＫＶを登録する。
【００８４】
なお、上記の説明においては、ステップＳ１７０６にて抽出した用紙情報に付加されていた動作情報をそのままＴｙｐｅ２の用紙情報として登録する方法及び、用紙情報判定テーブルを用いて動作情報を登録する方法について説明したが、他の態様であっても良い。
【００８５】
例えば、図２０に示すような用紙情報判定テーブルを用いて、ステップＳ１７０６にて抽出した用紙情報の各レコードを、Ｔｙｐｅ１の用紙に対応付けるようにしても良い。具体的には、ＣＰＵ２０５が、ステップＳ１７０６にて抽出した用紙情報の各レコードがＴｙｐｅ１のいずれの用紙に対応するかを、抽出した用紙情報に含まれる形状、表面性、坪量の３つのパラメータから判定するようにしても良い。
【００８６】
例えば、図１９の“ＳＳＳ  Ｃｏｍｐａｎｙ  Ｐｌａｉｎ  Ｐａｐｅｒ”について、ＣＰＵ２０５は、Ｔｙｐｅ１の“Ｐｌａｉｎ  Ｐａｐｅｒ”に対応すると判定する。そして、ＣＰＵ２０５は、図９のテーブルから、定着温度として１８０℃、印刷速度として２４０ｍｍ／ｓｅｃ、転写電圧＝１．０ＫＶを抽出し、用紙情報の動作情報としてＨＤＤ２０９に登録する。
【００８７】
また例えば、図１９の“ＳＳＳ  Ｃｏｍｐａｎｙ  Ｔａｂ  Ｐａｐｅｒ”について、ＣＰＵ２０５は、Ｔｙｐｅ１の“Ｃｏａｔｅｄ  Ｐａｐｅｒ２”に対応すると判定する。そして、ＣＰＵ２０５は、図９のテーブルから、定着温度として１８４℃、印刷速度として１８０ｍｍ／ｓｅｃ、転写電圧＝１．２ＫＶを抽出し、用紙情報の動作情報としてＨＤＤ２０９に登録する。
【００８８】
以上説明したように、本発明の第１の実施形態によれば、他の装置から印刷処理で利用する際のプリンタ部２０３の動作状態を設定するための動作情報を含む用紙情報を受信した場合に、その用紙情報を利用可能か否かを適切に判定して登録することができる印刷装置及び印刷方法を提供することができる。
【００８９】
そして、用紙情報を送信する印刷装置と、用紙情報を受信する印刷装置とが同種である場合（第１の実施形態では印刷装置１０５と印刷装置２３４）、各装置で同じ動作情報を用いて印刷処理を実行することが可能となる。つまり、印刷装置１０５が印刷装置２３４から用紙情報を受信した場合、印刷装置１０５は印刷装置２３４から受信した用紙情報に含まれる動作情報に基づいてプリンタ部２０３を動作させることができる。具体的には、ＣＰＵ２０５が、印刷装置２３４から受信してＨＤＤ２０９に登録した用紙情報を選択して印刷処理を実行する場合に、用紙情報に対応する動作情報を用いてプリンタ部２０３を制御する。これにより、印刷装置１０５と印刷装置２３４とがコンピュータ端末２３３から同一の文書データを受信して印刷処理をする場合に、同一の見栄えとなる印刷物を生成することができる。
【００９０】
（第２の実施形態）
第１の実施形態は、印刷装置２３４（又は印刷装置２３５）から用紙情報を受信した印刷装置１０５が、受信した用紙情報を利用可能か否かを適切に判断して登録するものであった。
【００９１】
それに対して、第２の実施形態は、用紙情報をある印刷装置から他の印刷装置へ送信する場合に、用紙の特性を示す特性情報と動作情報とを含む用紙情報を送信するか、特性情報を含むが動作情報を含まない用紙情報を送信するか否かを、送信先の印刷装置が同種の印刷装置か否かに応じて適切に選択するものである。
【００９２】
第２の実施形態においては、図１の印刷装置１０５から印刷装置２３４に対して用紙情報を送信する場合について図２１のフローチャートを用いて説明する。図２１は、印刷装置１０５が印刷装置２３４に用紙情報を送信する際にＣＰＵ２０５が実行する動作を説明するためのフローチャートである。なお、第２の実施形態における印刷装置１０５及び印刷装置２３４の構成は、第１の実施形態において説明したものと同様であるとする。
【００９３】
ステップＳ２１０１でＣＰＵ２０５は、印刷装置１０５の使用者が図１５のボタン１５０２を押下して図２２の画面を表示させる。図２２は、用紙情報の配信先を選択するための画面であり、印刷装置１０５の使用者は、印刷装置２３４を配信先として選択する場合は２２０１を押下し、印刷装置２３５を配信先として選択する場合は２２０２を押下する。
【００９４】
ステップＳ２１０２でＣＰＵ２０５は、印刷装置１０５の使用者が、ボタン２２０１及び／又はボタン２２０２を押下した状態でボタン２２０４を押下したことを検出すると、選択した送信先に印刷装置１０５の機種ＩＤの送信を要求する。印刷装置２３４が用紙情報の配信先として選択されている場合、印刷装置１０５から印刷装置２３４に対して機種ＩＤの送信が要求される。そして、印刷装置２３４は、この要求を受信すると、自装置の機種ＩＤ（００１）を印刷装置１０５へ返信する。
【００９５】
ステップＳ２１０３でＣＰＵ２０５は、印刷装置２３４（又は印刷装置２３５）から機種ＩＤを受信したか否かを判定し、受信した場合はステップＳ２１０４へ進む。
【００９６】
ステップＳ２１０４でＣＰＵ２０５は、印刷装置２３４（又は印刷装置２３５）から受信した機種ＩＤが自装置の機種ＩＤと一致するか否かを判定し、一致すればステップＳ２１０５へ進み、一致しなければステップＳ２１０６へ進む。
【００９７】
第２の実施形態では、印刷装置２３４の機種ＩＤは印刷装置１０５の機種ＩＤと一致するので、ＣＰＵ２０５はステップＳ２１０５を実行する。一方、印刷装置２３５の機種ＩＤは印刷装置１０５の機種ＩＤと一致しないので、ＣＰＵ２０５はステップＳ２１０６を実行する。
【００９８】
ステップＳ２１０５でＣＰＵ２０５は、用紙情報の送信先の印刷装置２３４が印刷装置１０５と同種の印刷装置であることから、印刷装置２３４に特性情報と動作情報の双方を含んだ用紙情報を、印刷装置２３４に送信する。
【００９９】
一方、ステップＳ２１０６でＣＰＵ２０５は、用紙情報の送信先の印刷装置２３４が印刷装置１０５と異種の印刷装置であることから、印刷装置２３４に特性情報を含むが動作情報を含まない（削除した）用紙情報を、印刷装置２３４に送信する。
【０１００】
なお、印刷装置２３４は、印刷装置１０５から特性情報と動作情報の双方を含んだ用紙情報を受信し、受信した用紙情報をＴｙｐｅ２の用紙情報として登録する。この点は、第１の実施形態で説明した通りである。
【０１０１】
また、印刷装置２３５は、印刷装置１０５から特性情報を含むが動作情報を含まない（削除した）用紙情報を受信し、受信した用紙情報に対して図１７のステップＳ１７０６〜ステップＳ１７１０の各ステップを実行する。
【０１０２】
以上説明したように、第２の実施形態によれば、他の印刷装置に、印刷処理で利用する際のプリンタ部２０３の動作状態を設定するための動作情報を含む用紙情報を送信する際に、用紙の特性を示す特性情報と動作情報とを含む用紙情報を送信するか、特性情報を含むが動作情報を含まない用紙情報を送信するかを、他の印刷装置が同種の印刷装置であるか否かに応じて適切に選択することができる印刷装置及び印刷方法を提供することができる。
【０１０３】
また、用紙情報の送信先の印刷装置が異種の印刷装置である場合に、動作情報を含まない用紙情報を配信することができるので、送信する用紙情報のデータサイズを小さくして通信負荷を軽減することができる。
【０１０４】
更に、用紙情報の送信先の印刷装置が異種の印刷装置である場合に、動作情報を送信しないことにより、送信先の印刷装置が誤動作してしまうという不具合を未然に防止できる。
【０１０５】
（他の実施形態）
第１の実施形態においては、受信した用紙情報が異種の印刷装置からの情報であった場合において、用紙情報に含まれる特性情報にて特性される用紙の特性が印刷装置にて利用可能でない場合に、その用紙情報をＨＤＤ２０９に記憶させずに削除するものであったが、他の態様であっても良い。
【０１０６】
例えば、受信した用紙情報が異種の印刷装置からの情報であった場合において、用紙情報に含まれる特性情報にて特性される用紙の特性が印刷装置にて利用可能でない場合であっても、ＨＤＤ２０９に記憶させるようにしても良い。しかし、用紙情報に含まれる特性情報に対応する用紙の特性が印刷装置にて利用可能でない場合、そのような特性の用紙を利用して印刷処理を実行させるのは好ましくない。そこで、用紙情報に含まれる特性情報に対応する用紙の特性が印刷装置にて利用可能でない場合は、その用紙は、印刷装置における印刷処理にて利用できないようにすれば良い。例えば、第１の実施形態の図１２において操作部２０４に表示させるもののボタンとして選択することを禁止させれば良い。なお、用紙の選択を禁止させる方法として、単に選択できなくする方法であっても、選択したことにより警告表示を表示させる方法であっても良い。
【０１０７】
また、第１の実施形態及び第２の実施形態においては、用紙情報に含まれる動作情報に関して、定着温度情報であれば定着温度の絶対値を示すものであったが、他の態様であっても良い。例えば、印刷装置において定着温度の標準値（例えば、１８０℃）をＨＤＤ２０９に記憶させておき、定着温度情報としては標準値からの差分値（例えば、絶対値が１８５℃である場合の差分値は５℃）を示す情報としても良い。
【０１０８】
また、第１の実施形態及び第２の実施形態においては、用紙情報に含まれる動作情報に関して、印刷速度情報であれば印刷速度の絶対値を示すものであったが、他の態様であっても良い。例えば、印刷装置において印刷速度の標準値（例えば、２２０ｍｍ／ｓｅｃ）をＨＤＤ２０９に記憶させておき、印刷速度情報としては標準値からの差分値（例えば、絶対値が２４０ｍｍ／ｓｅｃである場合の差分値は２０ｍｍ／ｓｅｃ）を示す情報としても良い。
【０１０９】
また、第１の実施形態及び第２の実施形態においては、用紙情報に含まれる動作情報に関して、転写電圧情報であれば転写電圧の絶対値を示すものであったが、他の態様であっても良い。例えば、印刷装置において転写電圧の標準値（例えば、１．０ＫＶ）をＨＤＤ２０９に記憶させておき、転写電圧情報としては標準値からの差分値（例えば、絶対値が１．３ＫＶである場合の差分値は０．３ＫＶ）を示す情報としても良い。
【０１１０】
また、本発明の目的は、前述した実施形態の機能を実現するソフトウェアのプログラムコードを記録した記憶媒体を、システムあるいは装置に供給することによっても達成される。この場合、そのシステムあるいは装置のコンピュータが記憶媒体に格納されたプログラムコードを読み出し実行すること前述した実施形態の機能を実現する。この場合、記憶媒体から読み出されたプログラムコード自体が前述した実施形態の機能を実現することになり、そのプログラムコードを記憶した記憶媒体は本発明を構成することになる。
【図面の簡単な説明】
【０１１１】
【図１】印刷システムの全体構成を示す図である。
【図２】印刷装置の制御構成を示すブロック図である。
【図３】印刷装置の構成を示す図である。
【図４】操作部の構成を示す図である。
【図５】操作部に表示される操作画面を示す図である。
【図６】プリンタ部２０３の制御構成を示す図である。
【図７】操作部に表示される操作画面を示す図である。
【図８】操作部に表示される操作画面を示す図である。
【図９】Ｔｙｐｅ１の用紙情報を示す図である。
【図１０】Ｔｙｐｅ３の用紙情報を示す図である。
【図１１】Ｔｙｐｅ２の用紙情報を示す図である。
【図１２】操作部に表示される操作画面を示す図である。
【図１３】操作部に表示される操作画面を示す図である。
【図１４】給紙トレイ情報を示す図である。
【図１５】操作部に表示される操作画面を示す図である。
【図１６】操作部に表示される操作画面を示す図である。
【図１７】印刷装置１０５が他の印刷装置から用紙情報を受信する場合に実行する動作を説明するフローチャートである。
【図１８】用紙情報判定テーブルを示す図である。
【図１９】用紙情報の一例を示す図である。
【図２０】用紙情報判定テーブルを示す図である。
【図２１】印刷装置１０５から他の印刷装置に用紙情報を送信する場合に、印刷装置１０５が実行する動作を説明するフローチャートである。
【図２２】操作部に表示される操作画面を示す図である。
【符号の説明】
【０１１２】
１０５  印刷装置
２０５  ＣＰＵ
【図１】
2008096812.tif 000003
【図２】
2008096812.tif 000004
【図３】
2008096812.tif 000005
【図４】
2008096812.tif 000006
【図５】
2008096812.tif 000007
【図６】
2008096812.tif 000008
【図７】
2008096812.tif 000009
【図８】
2008096812.tif 000010
【図９】
2008096812.tif 000011
【図１０】
2008096812.tif 000012
【図１１】
2008096812.tif 000013
【図１２】
2008096812.tif 000014
【図１３】
2008096812.tif 000015
【図１４】
2008096812.tif 000016
【図１５】
2008096812.tif 000017
【図１６】
2008096812.tif 000018
【図１７】
2008096812.tif 000019
【図１８】
2008096812.tif 000020
【図１９】
2008096812.tif 000021
【図２０】
2008096812.tif 000022
【図２１】
2008096812.tif 000023
【図２２】
2008096812.tif 000024